(57)【要約】【課題】強固で見映えが良く、しかも容易にカウンターを壁面に取り付ける構造を提供することを目的とする。【解決手段】前縁に前垂れ辺１２を備えた略Ｌ型断面のカウンター７と、水平部９と垂直部１０からなる略Ｌ型の取付金具６と、後部に垂直辺１３と垂直辺の先端に後方に折れ曲がった当接辺１５を備えた略クランク型断面のカバー８を備え、壁面６に固定した取付金具６の水平部９の上面にカウンター７を載置し、下面に当接辺１５を壁面６に当接したカバー８を配置し、カバー８の下面より固定手段２０でカバー８とカウンター７を固定し、取付金具６の水平部９を挟持した構成とすることにより、小さな取付金具６で取り付けることができ、しかも外観は見映えの良いカウンターを提供することができる。【選択図】図１
2005237539.tif 000002
【特許請求の範囲】
【請求項１】
前縁に前垂れ辺を備えたカウンターと、水平部と垂直部とからなる略Ｌ型断面の取付金具と、水平辺と垂直辺と垂直辺の先端に後方に折れ曲がった当接辺を備えた略クランク型断面のカバーを備え、壁面に固定した取付金具の水平部の上面にカウンターを載置し、下面に当接辺を壁面に当接したカバーを配置し、カバーの下面より固定手段でカバーとカウンターを固定し、取付金具の水平部を挟持した構成のカウンターの取付構造。
【請求項２】
カウンター後縁に垂下した差込み辺を備え、取付金具の垂直部の上端部に壁面との間に隙間を形成するカウンター差込み部を備え、カウンター差込み部に差込み辺を挿入した請求項１に記載のカウンターの取付構造。
【請求項３】
取付金具の水平部に固定穴を設け、固定手段は前記固定穴を介してカウンターとカバーを固定した請求項１または２に記載のカウンターの取付構造。
【請求項４】
カウンターとカバーを一体で形成した請求項１〜２のいずれか１項に記載のカウンターの取付構造。
【発明の詳細な説明】
【技術分野】
【０００１】
本発明は浴室等の壁面にカウンターを設置する場合の取付構造に関するものである。
【背景技術】
【０００２】
従来、この種のカウンターの取付構造は、側面形状が略三角形のカウンター受けを壁面に固定し、カウンター部とカバー部を一体で形成した略コ字状のカウンター部材をカウンター受けを覆うように載置している（例えば、特開文献１参照）。
【０００３】
図５は、特開文献１に記載された従来のカウンターの取付構造を示すものである。図５に示すように、側面形状が三角形のカウンター受け１と、カウンター部２とカバー部３が一体で形成された断面略コ字状のカウンター部材４から構成されている。
【特許文献１】特開２０００−８７５７７号公報
【発明の開示】
【発明が解決しようとする課題】
【０００４】
しかしながら、前記従来の構成では、カウンター部材は略コ字状の大きな形状であるので、カウンターの下部に必要以上のスペースを必要とし、スペースを有効に活用できないという課題を有していた。
【０００５】
本発明は、前記従来の課題を解決するもので、強固で見映えが良く、しかも余分なスペースを必要としないカウンターの取付構造を提供することを目的とする。
【課題を解決するための手段】
【０００６】
前記従来の課題を解決するために、本発明のカウンターの取付構造は、前縁に前垂れ辺を備えたカウンターと、水平部と垂直部からなる略Ｌ型断面の取付金具と、水平辺と垂直辺と垂直辺の先端に後方に折れ曲がった当接辺を備えた略クランク型断面のカバーを備え、壁面に固定した取付金具の水平部の上面にカウンターを載置し、下面に当接辺を壁面に当接したカバーを配置し、カバーの下面より固定手段でカバーとカウンターを固定し、取付金具の水平部を挟持した構成としたものである。
【０００７】
これによって、カウンターは取付金具により壁面に固定され、カウンター後部の荷重は取付金具で直接保持され、前部に加えられた荷重により発生するモーメントはカバーの垂直辺と当接辺により壁面で保持することによりカウンターの取付強度は維持できる。
【発明の効果】
【０００８】
本発明のカウンターの取付構造は、小さな取付金具でカウンターを取り付けることができ、取付に要するスペースは少なく、しかも外観にはカウンターとカバーと固定手段の一部のみが見えるだけの見映えが良いカウンターを提供することができる。
【発明を実施するための最良の形態】
【０００９】
第１の発明は前縁に前垂れ辺を備えたカウンターと、水平部と垂直部からなる略Ｌ型断面の取付金具と、水平辺と垂直辺と垂直辺の先端に後方に折れ曲がった当接辺を備えた略クランク型断面のカバーを備え、壁面に固定した取付金具の水平部の上面にカウンターを載置し、下面に当接辺を壁面に当接したカバーを配置し、カバーの下面より固定手段でカバーとカウンターを固定し、取付金具の水平部を挟持した構成とすることにより、カウンターは取付金具により壁面に固定され、カウンター後部の荷重は取付金具で直接保持され、前部に加えられた荷重により発生するモーメントはカバーの垂直辺と当接辺により壁面で保持されることによりカウンターの取付強度は維持できることとなり、小さな取付金具で取り付けることができ、しかも外観にはカウンターとカバーと固定手段の一部のみが見えるだけの見映えの良いカウンターを提供することができる。
【００１０】
第２の発明は、特に第１の発明のカウンターの後縁に垂下した差込み辺を備え、取付金具の垂直部の上端部に壁面との間に隙間を形成するカウンター差込み部を備え、カウンター差込み部に差込み辺を挿入する構成とすることにより、カウンターを固定金具に確実に位置決めし固定することができ、またカウンターが前後方向にずれることを防止することができる。
【００１１】
第３の発明は、特に、第１または第２の発明の取付金具の水平部に固定穴を設け、固定手段は前記固定穴を介してカウンターとカバーを固定することにより、カウンターが前後左右に移動することがなく、より確実にカウンターを固定することができる。
【００１２】
第４の発明は、特に、第１〜３のいずれか１つの発明のカウンターとカバーを一体で形成することにより、部材の接合部がなくなることにより、接合部にごみや汚れが付着することがなくなり、手入れがしやすく見映えの良いカウンターを提供することができる。
【００１３】
（実施の形態１）
図１は本発明の第１の実施の形態におけるカウンターの取付構造の斜視図を示し、図２は第１の実施の形態におけるカウンターの取付構造の側面図である。
【００１４】
図１において浴室の壁面５に複数の取付金具６を取付け、カウンター７とカバー８を取付金具６を挟持して取付ける構成としている。
【００１５】
図２に示すように取付金具６は錆びにくい材料のステンレス製で水平部９と垂直部１０からなる基本断面形状を略Ｌ型とし、垂直部１０の上端部には壁面５との間に隙間を形成するカウンター差込み部１７を備えており、垂直部１０の同一水平線上に設けた１個または複数個の取付穴１０ａを介して壁面５にねじ１１で取付けている。
【００１６】
カウンター７は人造大理石等の外観の美しい樹脂の一体成形品とし、前縁に前垂れ辺１２と後縁に差込み辺１８を備えた略コ字型の断面形状で、しかも前垂れ辺１２の先端は後方に折れ曲がり、カバー差込み部１６を備えた構成とし、差込み辺１８を取付金具６のカウンター差込み部１７に挿入して取付金具６の水平部９上に載置している。
【００１７】
取付金具６の下面に配置した樹脂製のカバー８は水平辺１３の後部に垂直辺１４を備え、垂直辺１４の先端には後方に折れ曲がった当接辺１５を備えており、壁面５に当接辺１５を当接して配置し、水平辺１３の前縁部はカウンター７のカバー差込み部１６に挿入して保持している。
【００１８】
そして、カバー８とカウンター７で取付金具６を挟み込み、カバー８の下面より固定手段２０であるねじで固定することにより、取付金具６を挟持する構成としている。
【００１９】
以上のように構成されたカウンターの取付構造について以下その動作、作用を説明する。
【００２０】
まず、取付金具をあらかじめ壁面にねじで固定し、取付金具の水平部をカウンターとカバーで挟み込んだ状態で固定手段であるねじでカウンターとカバーを固定することにより、カウンターとカバーで取付金具を強固に挟持することができ、カウンターを壁面に取り付けている。
【００２１】
上記構成において、カウンター後部に加わる荷重は取付金具で直接保持され、前部に加えられた荷重により発生するモーメントはカバーの当接辺が当接する壁面で保持されることとなり、カウンターの取付強度は十分に維持することができる。
【００２２】
また、当接辺はカウンターのほぼ全幅に亘り配置することにより壁面に加わる応力は分散されるため、当接面となる壁面の強度は特別に強化する必要はなく、また壁面裏面に特別な補強材等の設置も必要としない。
【００２３】
本実施の形態のカウンターの取付構造は小さな取付金具で取り付けることができ、しかも外観にはカウンターとカバーと固定手段の一部のみが見えるだけで非常に見映えを良くすることができるする。
【００２４】
また、本実施の形態ではカバーの水平辺の前縁をカウンターに設けたカバー差込み部に差込んでカバーを保持しているため、確実に見映えよくカバーの保持ができ、またカウンターの後方に設けた差込辺を固定金具に設けたカウンター差込み部に差込んでいるため、カウンターを固定金具に確実に位置決め固定することができ、前後方向にずれることが防止できる。
【００２５】
本実施の形態においては、カウンターは樹脂の成形品としたが、使用場所によってはインテリア性の高い木製や金属製にすることも可能であり、また、カバーも樹脂製に限ることはなく金属製とすることも可能である。
【００２６】
（実施の形態２）
図３は本発明の第２の実施の形態のカウンターの取付構造を示す斜視図である。
【００２７】
図３に示すように取付金具６の水平部９に前後に２個の固定穴１９を設け、カバー８の下面より固定手段２０であるねじで固定穴１９を貫通してカウンター７とカバー８を固定する構成としている。
【００２８】
なお、実施の形態１と同一符号のものは同一構造を有し、説明は省略する。
【００２９】
上記構成とすることにより、カウンターとカバーと取付金具はより強固に固定することができ、カウンターが前後左右に移動することがなく、より確実にカウンターを固定することができる。
【００３０】
（実施の形態３）
図４は本発明の第３の実施の形態のカウンターの取付構造を示す斜視図である。
【００３１】
図４に示すようにカウンター７とカバー８を一体で形成している。
【００３２】
なお、実施の形態１と同一符号のものは同一構造を有し、説明は省略する。
【００３３】
カウンターとカバーを一体で形成することにより、部材の接合部がなくなることにより、接合部にごみや汚れが付着することがなくなり、手入れがしやすく見映えの良くすることができる。
【００３４】
なお、上記一体のカウンターとカバーは硬質の樹脂による一体成形としたが、カウンターとカバーの接合部となる前縁部を折り曲げ可能な軟質の樹脂で成形することにより、よりシンプルな形状に成形することが可能となり、生産性を向上することができる。
【産業上の利用可能性】
【００３５】
以上のように、本発明にかかるカウンターの取付構造は、小さな取付金具でカウンターを取り付けることができ、取り付けに要するスペースは少なく、しかも外観にはカウンターとカバーと固定手段の一部のみが見えるだけの見映えが良いカウンターを提供することが可能となるので、住宅や商業施設などの用途にも適用できる。
【図面の簡単な説明】
【００３６】
【図１】本発明の実施の形態１におけるカウンターの取付構造の斜視図
【図２】本発明の実施の形態１におけるカウンターの取付構造の側面図
【図３】本発明の実施の形態２におけるカウンターの取付構造の斜視図
【図４】本発明の実施の形態３におけるカウンターの取付構造の側面図
【図５】従来のカウンターの取付構造の側面図
【符号の説明】
【００３７】
５  壁面
６  取付金具
７  カウンター
８  カバー
９  水平部
１０  垂直部
１２  前垂れ辺
１３  水平辺
１４  垂直辺
１５  当接辺
１７  カウンター差込み部
１８  差込み辺
１９  固定穴
２０  固定手段
【図１】
2005237539.tif 000003
【図２】
2005237539.tif 000004
【図３】
2005237539.tif 000005
【図４】
2005237539.tif 000006
【図５】
2005237539.tif 000007